(57)【要約】      （修正有）【課題】履くことを容易にできるように、足囲（ワイズ）を調整できる範囲を広くした靴を提供する。【解決手段】靴１は、甲部中央につま先に向かって延びる切り込みが形成された靴本体３と、甲部を覆う覆い部４とを備える。覆い部４は、甲部の切り込みを覆う幅広の本体部５と、本体部５の上側に接合されている甲ベルト６とを有する。甲ベルト６は、本体部５に対しそれの延びる方向に直交する方向に延びるように配置され、両端部が本体部５より両側方に突出する突出部分７，８となっている。本体部５が甲部に面ファスナー手段（雄部、雌部）を介して着脱可能に接合され、靴本体３の左右側部に、突出部分７，８がそれぞれ面ファスナー手段（雄部、雌部）を介して着脱可能に接合されている。【選択図】図１
0003191012.tif 000002
【実用新案登録請求の範囲】
【請求項１】
甲部中央につま先に向かって延びる切り込みが形成された靴本体と、前記甲部を覆う覆い部とを備える靴であって、
前記覆い部は、前記甲部の切り込み部分を覆う幅広の本体部と、前記本体部の上側に接合されている甲ベルトとを有し、
前記甲ベルトは、前記本体部に対しそれの延びる方向に直交する方向に延びるように配置され、両端部が前記本体部より両側方に突出する１対の突出部分となっており、
前記甲部に前記本体部が面ファスナー手段を介して着脱可能に接合され、
前記靴本体の左右側部に、前記１対の突出部分がそれぞれ面ファスナー手段を介して着脱可能に接合されていることを特徴とする靴。
【請求項２】
前記靴本体は、かかと部分に指入れ部を備えるとともに、
前記かかと部分に十分な大きさのカウンター芯が設けられている、請求項１に記載の靴。
【請求項３】
トゥスプリングは１．５〜２．０ｃｍで、
本底にはＥＶＡスポンジに天然系ゴムがブレンドされた素材が使用されている、請求項１または２に記載の靴。
【請求項４】
中敷きを有し、
前記中敷きは、かかと部分に衝撃吸収材が配置されるとともに、アーチクッションが設けられている、請求項１〜３のいずれか１項に記載の靴。
【考案の詳細な説明】
【技術分野】
【０００１】
本考案は、靴を履く人に応じて、足囲（ワイズ）を調整できる靴に関するものである。
【背景技術】
【０００２】
補装具等の装着や、リュウマチ等で、足に変形があることなどを原因として、市販されている靴を履くことが困難な場合がある。
【０００３】
そこで、靴の甲部分を左右に分離するものとしその表面をパイル地で形成し、左右いずれか一方の甲片裏面に多数のフックが突出するテープ地を他方の甲片表面に着脱自在とするとともに、腰部分を左右に分離しファスナによって開閉自在とした靴が提案されている（例えば特許文献１参照）。この靴は、甲部分の上面を覆うことができる覆い片の前端を爪先部分に固定し、覆い片の裏面にはテープ地を定着し、左右の甲片表面に着脱自在としてなっている。そして、覆い片の上部位置には左右先端部が側方へ突出する帯片を設け、この突出部分の裏面にもテープ地を定着している。
【先行技術文献】
【特許文献】
【０００４】
【特許文献１】実開平４−３４９０６号公報
【考案の概要】
【考案が解決しようとする課題】
【０００５】
前記特許文献１記載のものでは、覆い片や帯片を靴の甲部分に着脱するようにしているが、足囲の調整範囲があまり広くなく、より広くしたいという要求がある。
【０００６】
本考案は、足囲（ワイズ）を調整できる範囲を広くし、補装具や足底板を装着した足、リュウマチなどで変形がある足などの場合であっても、履くことを容易にできるようにした靴を提供することを目的とする。
【課題を解決するための手段】
【０００７】
請求項１の考案は、甲部中央につま先に向かって延びる切り込みが形成された靴本体と、前記甲部を覆う覆い部とを備える靴であって、前記覆い部は、前記甲部の切り込み部分を覆う幅広の本体部と、前記本体部の上側に接合されている甲ベルトとを有し、前記甲ベルトは、前記本体部に対しそれの延びる方向に直交する方向に延びるように配置され、両端部が前記本体部より両側方に突出する１対の突出部分となっており、前記甲部に前記本体部が面ファスナー手段を介して着脱可能に接合され、前記靴本体の左右側部に、前記１対の突出部分がそれぞれ面ファスナー手段を介して着脱可能に接合されていることを特徴とする。
【０００８】
請求項１の考案によれば、補装具や足底板を装着した足、リュウマチなどで変形がある足や、浮腫などで市販の靴を履くことができない足であっても、靴を履く人の足に応じて、足囲を調整できる範囲を広くしたので、足にしっかりとフィットさせて履くことができる。
【０００９】
請求項２に記載のように、前記靴本体は、かかと部分に指入れ部を備えるとともに、前記かかと部分に十分な大きさのカウンター芯が設けられている、ことが望ましい。
【００１０】
請求項２の考案によれば、指入れ部によってスムーズに着脱ができ、また、かかと部分のカウンター芯によって、歩行時の靴内でのかかとのぶれを押さえ、かかとを固定し、安定させる。
【００１１】
請求項３に記載のように、トゥスプリングは１．５〜２．０ｃｍで、本底にはＥＶＡスポンジに天然系ゴムがブレンドされた素材が使用されている、ことが望ましい。
【００１２】
請求項３の考案によれば、トゥスプリングを１．５〜２．０ｃｍつけているので、歩行時にスムーズな蹴りだしが行え、スムーズな歩行を実現できる。
【００１３】
また、本底には、スニーカーなどにも使用されている衝撃吸収性のよいＥＶＡスポンジに、ソフトなクッション性と適度な反発性を持った天然系ゴムをブレンドした素材を用いているので、それぞれの素材の良さである「軽さ」「衝撃吸収性能」「クッション性能」「屈曲性能」「グリップ力」という、足に優しい機能を備えている
請求項４に記載のように、中敷きを有し、  前記中敷きは、かかと部分に衝撃吸収材が配置されるとともに、アーチクッションが設けられていることが望ましい。
【００１４】
請求項４の考案によれば、衝撃吸収材にて歩行時の地面からの衝撃を緩和することができ、アーチクッションにより、足の縦アーチをサポートし、足本来のアーチ形状を補助することができる。
【考案の効果】
【００１５】
本考案は、補装具や足底板を装着した足、リュウマチなどで変形がある足や、浮腫などで市販の靴を履くことが困難な足であっても、靴を履く人の足に応じて、足囲を調整して、足にしっかりとフィットさせて履くことができる。特に、各端部において長さ調整が可能であるので、調整範囲が広くなり、履くことが容易になる。
【図面の簡単な説明】
【００１６】
【図１】本考案の一実施の形態に係る靴を示す側面図である。
【図２】覆い部が開かれた状態を示す、同平面図である。
【図３】前記覆い部が閉じられた状態を示す、同斜視図である。
【図４】中敷きの説明図である。
【考案を実施するための形態】
【００１７】
以下、本考案の実施の形態を図面に沿って説明する。
（第１の実施の形態）
図１は本考案の一実施の形態に係る靴を示す側面図、図２は覆い部が開かれた状態を示す、同平面図、図３は前記覆い部が閉じられた状態を示す、同斜視図である。
【００１８】
図１〜図３に示すように、靴１は、甲部中央につま先に向かって延びる切り込み２が形成された靴本体３と、前記甲部を覆う舌状の覆い部４とを備える。そして、靴１は、伸縮性のある生地に、柔らかいウレタンフォームを貼り合わせてなる、ソフトで伸縮性がある素材を使用してなり、着脱を容易に行える。
【００１９】
この覆い部４は、前記甲部の切り込み２を覆う幅広の本体部５と、この本体部５の上側に接合されている甲ベルト６とを有する。この甲ベルト６は、本体部５に対しそれの延びる方向に直交する方向に延びるように配置され、両端部が本体部５より両側方に突出する１対の突出部分７，８となっている。
【００２０】
靴本体３の甲部において、切り込み２の両側それぞれに面ファスナー手段の雄部９，１０が設けられる一方、本体部５の裏面に雄部９，１０に対応して面ファスナー手段の雌部１１が設けられている。これら雄部９，１０と雌部１１とが噛み合うことで、覆い部４が切り込み２を覆うように靴本体３の甲部に分離可能に接合される。
【００２１】
また、突出部分７，８の裏面にそれぞれ面ファスナー手段の雌部１２，１３が設けられる一方、靴本体３の左右側部に、雌部１２，１３に対応して、面ファスナー手段の雄部１４，１５が、雄部９，１０とは離れて設けられている。これら雌部１２，１３と雄部１４，１５とが噛み合うことで、突出部分７，８が靴本体３の左右側部に分離可能に接合される。
【００２２】
このように、覆い部４及び甲ベルト６の突出部分７，８が、靴本体３に面ファスナー手段を介して着脱可能に接合されているので、覆い部４や甲ベルト６を靴本体３より分離させ、爪先までめくり、靴本体３の甲部の切り込み２を露出させることができる。これにより、足囲（ワイズ）を細かく調整できるようになり、足の障害がある場合などでも、足のぴったりとフィットさせて履くことができる。
【００２３】
また、靴本体３の後部（かかと部）には、指入れ部１６が設けられている。この指入れ部１６は、大きめに形成され、シューホンなどの補装具や足底板を装着している場合や、リュウマチや浮腫等で足に変形がある場合であっても、スムーズに着脱ができるようになっている。また、指入れ部１６があることで、自分で履く場合でも、人に履かせてもらう場合でも容易に靴の着脱が行える。
【００２４】
また、靴本体１を形成する素材は、伸縮性のある生地に、柔らかいウレタンフォームを貼り合せているので、靴の着脱が容易に行えるだけでなく、着用時には、通気性もよく、靴下のようなソフト感のある足当たりで、足をソフトに包み込むようになっている。
【００２５】
そして、通気性がよいだけでなく、ライニング（裏生地）と中底とに抗菌（制菌）防臭素材を使用しているので、いつまでも清潔に使用することができる。
【００２６】
かかと部分のカウンター１７の芯は、十分な大きさのものを使用しているので、歩行時の靴内でのかかとのぶれを押さえ、かかとを定位置に保持し、安定させる。
【００２７】
また、伸縮性のある素材を使用することに加えて、爪先を高く、幅を広く（４Ｅ相当：社内基準）した靴型（ラスト）を使用して、ゆったりサイズ設計で製造しているので、爪先の障害や足指の変形にも対応でき、靴型（ラスト）以上のサイズ範囲で着用することができる。
【００２８】
そのほか、トゥスプリング１８を１．５〜２．０ｃｍつけ、つま先を持ち上げたラスト（靴型）を使用しているので、歩行時にスムーズな蹴りだしが行え、スムーズな歩行を実現できる。
【００２９】
本底１９には、スニーカーなどにも使用されている衝撃吸収性のよいＥＶＡスポンジに、ソフトなクッション性と適度な反発性を持った天然系ゴムをブレンドした素材を用いているので、それぞれの素材の良さである「軽さ」「衝撃吸収性能」「クッション性能」「屈曲性能」「グリップ力」という、足に優しい機能を備えている。
【００３０】
甲材・中底・本底のそれぞれの材料に、軽量で耐久性に優れる素材を使用することで、軽量化を図っている。
【００３１】
甲ベルト６両側の突出部分７，８は、それぞれ面ファスナー手段にて着脱可能に接合されているので、靴の外側あるいは内側のいずれの側からも分離させて開くことができ、片方の手に障害などがある場合でも扱いやすく、しっかりと止めることができる。
【００３２】
中敷き２１は、図４に示すように、かかと部分に衝撃吸収材２２が配置されるとともに、アーチクッション２３が設けられている。これにより、衝撃吸収材２２にて歩行時の地面からの衝撃を緩和することができ、アーチクッション２３により、足の縦アーチをサポートし、足本来のアーチ形状を補助することができる。
【符号の説明】
【００３３】
１  靴
２  切り込み
３  靴本体
４  覆い部
５  本体部
６  甲ベルト
７，８  突出部分
９，１０  面ファスナー手段の雄部
１１  面ファスナー手段の雌部
１２，１３  面ファスナー手段の雌部
１４，１５  面ファスナー手段の雄部
１６  指入れ部
１７  カウンター
１８  トゥスプリング
１９  本底
２１  中敷き
２２  衝撃吸収材
２３  アーチクッション
【図１】
0003191012.tif 000003
【図２】
0003191012.tif 000004
【図３】
0003191012.tif 000005
【図４】
0003191012.tif 000006